(57)【要約】本発明の一実施例によるＲＦＩＤタグを含むラベルは、一領域が強粘着で製品ボックスに貼付されて固定され、ＲＦＩＤタグを含むラベル領域が弱粘着で製品ボックスに貼付され、着脱可能に構成されることに応じて、ＲＦＩＤタグによって覆われた製品ボックスの一領域に記載された内容をユーザーが確認するようにすることができ、この場合、製品ボックスに記載する事項が多すぎて全部記載することができない場合、ラベルの第１ベースフィルムの一領域に残りの記載事項を記入することにより、内容記入空間を拡大させることもでき、また、ラベルを折り畳んで製品ボックスに貼付され得るようにして、小さい大きさのボックスに対しても容易に貼付され得るように貼付範囲を流動的に変更することができる。【選択図】図１
2017533461.tif 000002
【特許請求の範囲】
【請求項１】
一領域として定義される強粘着領域及び前記強粘着領域と区分される領域として定義される弱粘着領域を含む第１ベースフィルムと、
前記第１ベースフィルムの強粘着領域の下面に形成される第１粘着層と、
前記第１ベースフィルムの弱粘着領域の下面に形成され、前記第１粘着層の粘着力よりも弱い粘着力を有する第２粘着層と、
前記第１ベースフィルムの弱粘着領域に貼付されるＲＦＩＤタグと、を含む、ＲＦＩＤタグを含むラベル。
【請求項２】
前記ＲＦＩＤタグは、前記第１ベースフィルムの弱粘着領域の上面に貼付される、請求項１に記載のＲＦＩＤタグを含むラベル。
【請求項３】
前記強粘着領域は、前記第１ベースフィルムの一側端部として定義され、
前記弱粘着領域は、前記第１ベースフィルムの前記一側端部を除いた残りの領域として定義される、請求項２に記載のＲＦＩＤタグを含むラベル。
【請求項４】
前記第１ベースフィルムは、
前記第１ベースフィルムの一領域を切開することによって形成される脱着防止切断部を含む、請求項２に記載のＲＦＩＤタグを含むラベル。
【請求項５】
前記脱着防止切断部は、
前記第１ベースフィルムの強粘着領域及び前記前記第１ベースフィルムの弱粘着領域のうち、ＲＦＩＤタグが貼付された領域のうちの少なくとも１つに切開経路が所定の角を有するように折り曲げられて形成される、請求項４に記載のＲＦＩＤタグを含むラベル。
【請求項６】
前記第１ベースフィルムは、
前記弱粘着領域の縁のうち、前記強粘着領域から最も遠い縁に形成される無粘着状態の取っ手部を更に含む、請求項２に記載のＲＦＩＤタグを含むラベル。
【請求項７】
前記第１ベースフィルムの取っ手部は、
前記弱粘着領域の縁のうち、前記強粘着領域から最も遠い縁から延長されて形成されるか、前記弱粘着領域の縁などのうちの少なくとも１つの頂点に形成される、請求項６に記載のＲＦＩＤタグを含むラベル。
【請求項８】
前記第１ベースフィルムは、
前記強粘着領域と前記弱粘着領域との境界に形成される少なくとも１つの折曲線を更に含む、請求項２に記載のＲＦＩＤタグを含むラベル。
【請求項９】
前記ＲＦＩＤタグを含むラベルは、
前記第１粘着層及び第２粘着層が形成された前記第１ベースフィルムの下面に形成される第２ベースフィルムと、
前記第２ベースフィルムの下面全体に形成され、前記第１粘着層と同一の粘着力を有する第３粘着層と、を更に含む、請求項２に記載のＲＦＩＤタグを含むラベル。
【請求項１０】
前記第２ベースフィルムは、
前記第２ベースフィルムの一領域を切開することによって形成される脱着防止切断部を含む、請求項９に記載のＲＦＩＤタグを含むラベル。
【請求項１１】
製品ボックスと、
前記製品ボックスの外面に貼付される、請求項９に記載のＲＦＩＤタグを含むラベルと、を含み、
前記ラベルの強粘着領域は、前記製品ボックスの正面に貼付され、前記ラベルの弱粘着領域は、前記強粘着領域との境界線を基準に折り曲げられて前記製品ボックスの側面に貼付される、ＲＦＩＤタグを含むラベルが貼付された製品ボックス。
【請求項１２】
前記第２ベースフィルムは、透明な材質で形成されるか、情報が印刷されるように形成される、請求項１１に記載のＲＦＩＤタグを含むラベルが貼付された製品ボックス。
【請求項１３】
製品ボックスを移送するステップと、
一領域として定義される強粘着領域及び前記強粘着領域と区分される領域として定義される弱粘着領域を含む第１ベースフィルムと、前記第１ベースフィルムの強粘着領域の下面に形成される第１粘着層と、前記第１ベースフィルムの弱粘着領域の下面に形成され、前記第１粘着層の粘着力よりも弱い粘着力を有する第２粘着層と、を含むラベルを貼付するステップと、
前記第１ベースフィルムの弱粘着領域にＲＦＩＤタグを貼付するステップと、を含む、ＲＦＩＤタグ及びラベル貼付方法。
【請求項１４】
前記ＲＦＩＤタグを貼付するステップは、
前記第１ベースフィルムの弱粘着領域の上面にＲＦＩＤタグを貼付する、請求項１３に記載のＲＦＩＤタグ及びラベル貼付方法。
【請求項１５】
前記製品ボックスは、六面体状に形成され、
前記ラベルを貼付するステップは、
前記第１ベースフィルムの強粘着領域の下面を前記製品ボックスの上面の縁に貼付するステップと、
前記第１ベースフィルムの弱粘着領域の下面を前記強粘着領域となす境界線を基準に折り曲げて前記製品ボックスの上面と隣接する側面に貼付するステップと、を含む、請求項１３に記載のＲＦＩＤタグ及びラベル貼付方法。
【請求項１６】
前記ラベルは、
前記第１粘着層及び第２粘着層が形成された前記第１ベースフィルムの下面に貼付される第２ベースフィルムと、
前記第２ベースフィルムの下面全体に形成され、前記第１粘着層と同一の粘着力を有する第３粘着層と、を更に含む、請求項１５に記載のＲＦＩＤタグ及びラベル貼付方法。
【発明の詳細な説明】
【技術分野】
【０００１】
本発明は、ＲＦＩＤタグを含むラベル、ＲＦＩＤタグを含むラベルが貼付された製品ボックス、及びＲＦＩＤタグとラベルの貼付方法に関し、より詳細には、ＲＦＩＤタグが製品ボックスに記載された製品説明部分を覆わないようにするＲＦＩＤタグを含むラベル、ＲＦＩＤタグを含むラベルが貼付された製品ボックス、及びＲＦＩＤタグとラベルの貼付方法に関する。
【０００２】
本発明は、２０１４年１０月１３日に出願された韓国特許出願第１０−２０１４−０１３７６１７号の出願日の利益を主張し、その内容の全部は、本明細書に含まれる。
【背景技術】
【０００３】
一般的に、製品の包装容器には、製品区分が容易にするために、バーコードを表記するとか、バーコードステッカーを貼付しているが、バーコードシステムは、接触式情報獲得という限界を持っている。従って、このようなバーコードシステムの限界を克服するために、ＲＦＩＤ（Ｒａｄｉｏ  Ｆｒｅｑｕｅｎｃｙ  ＩＤｅｎｔｉｆｉｃａｔｉｏｎ）タグ（Ｔａｇ）をバーコードの代替用として開発した製品などが常用化されて大衆化されている。
【０００４】
ＲＦＩＤ技術は、事物に貼付されたＲＦＩＤタグから送出される電波を利用して、事物の情報及び周辺環境を認識し、各事物の情報を収集、保存、加工、追跡することにより、事物に対する測位、遠隔処理、管理及び事物間の情報交換など様々なサービスを提供する技術である。また、既存のバーコードを代替して物品管理をネットワーク化及び知能化することにより、流通及び物品管理だけでなく、セキュリティ、安全、環境管理などに革新をリードしている。
【０００５】
従来技術である特許文献１の内容によると、ＲＦＩＤタグを含むラベルをコンベヤベルトに沿って移動する製品ボックスの外面に貼付することにより、ＲＦＩＤタグを製品ボックスに貼付する。
【０００６】
一方、製品ボックスのうち、特に、医薬品に関するボックスの場合、医薬品の用途、注意事項、効能などに関する説明を摘示しなければならないので、医薬品のロゴや名前などが刻まれた面以外の他の面に、前記医薬品の用途などに関する説明が空白なく記載されている場合が多い。従って、ラベルが貼付される空白部分が多くなく、ラベルが説明部分などに貼付される場合、製品ボックスに表示された説明などがＲＦＩＤタグによって覆われるようになって、ＲＦＩＤタグを製品ボックスに貼付して製品などを管理するのが難しい問題点が存在した。
【０００７】
一方、前述した背景技術は、発明者が本発明の導出のために保有していたか、本発明の導出過程で習得した技術情報であって、必ず本発明の出願前に一般公衆に公開された公知技術とはいえない。
【先行技術文献】
【特許文献】
【０００８】
【特許文献１】韓国公開特許第１０−２０１２−００６３７８２号公報
【発明の概要】
【発明が解決しようとする課題】
【０００９】
本発明の一実施例は、ブックラベル形態のＲＦＩＤタグが貼付されたラベルを提供することにより、ＲＦＩＤタグが貼付されたラベル面が製品ボックスに貼付され、製品ボックスに記載された情報を覆っても、前記ラベル面を製品ボックスから脱着可能にすることにより、製品ボックスに記載された情報をユーザーが完全に確認できるようにすることに目的がある。
【課題を解決するための手段】
【００１０】
前述した技術的課題を達成するための技術的手段として、本発明の第１の側面によるＲＦＩＤタグを含むラベルは、一領域として定義される強粘着領域及び前記強粘着領域と区分される領域として定義される弱粘着領域を含む第１ベースフィルムと、前記第１ベースフィルムの強粘着領域の下面に形成される第１粘着層と、前記第１ベースフィルムの弱粘着領域の下面に形成され、前記第１粘着層の粘着力よりも弱い粘着力を有する第２粘着層と、前記第１ベースフィルムの弱粘着領域に貼付されるＲＦＩＤタグと、を含む。
【００１１】
また、前記ＲＦＩＤタグは、前記第１ベースフィルムの弱粘着領域の上面に貼付される。
【００１２】
また、前記強粘着領域は、前記第１ベースフィルムの一側端部として定義され、前記弱粘着領域は、前記第１ベースフィルムの前記一側端部を除いた残りの領域として定義される。
【００１３】
また、前記第１ベースフィルムは、前記第１ベースフィルムの一領域を切開することによって形成される脱着防止切断部を含む。
【００１４】
また、前記脱着防止切断部は、前記第１ベースフィルムの強粘着領域及び前記第１ベースフィルムの弱粘着領域のうち、ＲＦＩＤタグが貼付された領域のうちの少なくとも１つに切開経路が所定の角を有するように折り曲げられて形成される。
【００１５】
また、前記第１ベースフィルムは、前記弱粘着領域の縁のうち、前記強粘着領域から最も遠い縁に形成される無粘着状態の取っ手部を更に含む。
【００１６】
また、前記第１ベースフィルムの取っ手部は、前記弱粘着領域の縁のうち、前記強粘着領域から最も遠い縁から延長されて形成されるか、前記弱粘着領域の縁などのうちの少なくとも１つの頂点に形成される。
【００１７】
また、前記第１ベースフィルムは、前記強粘着領域と前記弱粘着領域との境界に形成される少なくとも１つの折曲線を更に含む。
【００１８】
また、前記ＲＦＩＤタグを含むラベルは、前記第１粘着層及び第２粘着層が形成された前記第１ベースフィルムの下面に形成される第２ベースフィルムと、前記第２ベースフィルムの下面全体に形成され、前記第１粘着層と同一の粘着力を有する第３粘着層と、を更に含む。
【００１９】
また、前記第２ベースフィルムは、前記第２ベースフィルムの一領域を切開することによって形成される脱着防止切断部を含む。
【００２０】
一方、本発明の第２の側面によるＲＦＩＤタグを含むラベルが貼付された製品ボックスは、製品ボックスと、前記製品ボックスの外面に貼付される、請求項１〜１０のいずれか一項によるＲＦＩＤタグを含むラベルと、を含み、前記ラベルの強粘着領域は、前記製品ボックスの正面に貼付され、前記ラベルの弱粘着領域は、前記強粘着領域との境界線を基準に折り曲げられて前記製品ボックスの側面に貼付される。
【００２１】
また、第２ベースフィルムを含むラベルにおいて、前記第２ベースフィルムは、透明な材質で形成されるか、情報が印刷されるように形成される。
【００２２】
また一方、本発明の第３の側面によるＲＦＩＤタグ及びラベル貼付方法は、製品ボックスを移送するステップと、一領域として定義される強粘着領域及び前記強粘着領域と区分される領域として定義される弱粘着領域を含む第１ベースフィルムと、前記第１ベースフィルムの強粘着領域の下面に形成される第１粘着層と、前記第１ベースフィルムの弱粘着領域の下面に形成され、前記第１粘着層の粘着力よりも弱い粘着力を有する第２粘着層と、を含むラベルを貼付するステップと、前記第１ベースフィルムの弱粘着領域にＲＦＩＤタグを貼付するステップと、を含む。
【００２３】
また、前記ＲＦＩＤタグを貼付するステップは、前記第１ベースフィルムの弱粘着領域の上面にＲＦＩＤタグを貼付する。
【００２４】
また、前記製品ボックスは、六面体状に形成され、前記ラベルを貼付するステップは、前記第１ベースフィルムの強粘着領域の下面を前記製品ボックスの上面の縁に貼付するステップと、前記第１ベースフィルムの弱粘着領域の下面を前記強粘着領域となす境界線を基準に折り曲げて前記製品ボックスの上面と隣接する側面に貼付するステップと、を含む。
【００２５】
また、前記ラベルは、前記第１粘着層及び第２粘着層が形成された前記第１ベースフィルムの下面に貼付される第２ベースフィルムと、前記第２ベースフィルムの下面全体に形成され、前記第１粘着層と同一の粘着力を有する第３粘着層と、を更に含む。
【発明の効果】
【００２６】
本発明の実施例などによれば、ラベルの一領域が強粘着で製品ボックスに貼付されて固定され、ＲＦＩＤタグを含むラベル領域が弱粘着で製品ボックスに貼付され、弱粘着領域が着脱可能に構成されることに応じて、ＲＦＩＤタグによって覆われた製品ボックスの一領域に記載された内容をユーザーが確認するようにすることができる。この場合、製品ボックスに記載する事項が多すぎて全部記載することができない場合、ラベルの第１ベースフィルムの一領域に残りの記載事項を記入することにより、内容記入空間を拡大させることもできる。また、ラベルに鋭い物質（例えば、刀）でラベルを切断して脱着防止切断部を形成することにより、第３者が悪意でラベルを剥がそうとするとき、剥がした跡が製品ボックスに残るようにして、第３者がむやみにラベルを剥がさないようにすることができる。また、ラベルを折り畳んで製品ボックスに貼付され得るようにして、小さい大きさのボックスに対しても容易に貼付され得るように貼付範囲を流動的に変更するようにすることができる。
【図面の簡単な説明】
【００２７】
【図１】本発明の第１の実施例によるＲＦＩＤタグを含む左右着脱型ラベルの平面図である。
【図２】図１のＩ〜Ｉ’領域を切り取った断面を示す断面図である。
【図３】本発明の第１の実施例によるＲＦＩＤタグを含む上下着脱型ラベルの平面図である。
【図４】図３のＩＩ〜ＩＩ’領域を切り取った断面を示す断面図である。
【図５】本発明の第２の実施例によるＲＦＩＤタグを含む左右着脱型ラベルの斜視図である。
【図６】図５の第２の実施例の左右着脱型ラベルの断面図である。
【図７】本発明の第２の実施例によるＲＦＩＤタグを含む上下着脱型ラベルの斜視図である。
【図８】本発明の第２の実施例による左右着脱型ラベルが貼付された製品ボックスの斜視図である。
【図９】本発明の第２の実施例による上下着脱型ラベルが貼付された製品ボックスの斜視図である。
【図１０】本発明の第３の実施例によるＲＦＩＤタグ及びラベル貼付方法を説明するためのフローチャートである。
【発明を実施するための形態】
【００２８】
以下では、添付した図面を参照して本発明の属する技術分野において通常の知識を有する者が容易に実施できるように本発明の実施例を詳細に説明する。しかし、本発明は、様々な異なる形態で具現されることができ、ここで説明する実施例に限定されない。そして、図面において、本発明を明確に説明するために説明と関係ない部分は省略し、明細書の全体を通じて同様な部分に対しては同様な図面符号を付けた。
【００２９】
明細書の全体において、ある部分がある構成要素を“含み”とするとき、これは特別に反対される記載がない限り他の構成要素を除くのではなく他の構成要素を更に含むことができることを意味する。
【００３０】
先ず、本明細書において利用される用語に対する定義を説明する。
【００３１】
“粘着”は、粘着剤を介して２つの物体が物理的に１つになるように結合される状態を意味し、この時、“強粘着”は、結合された２つの物体が脱着され難いほどに強く結合された状態を意味し、“弱粘着”は、結合された２つの物体が脱着可能になるように結合された状態を意味する。一方、“貼付”は、“強粘着”と同じ意味として定義される。
【００３２】
以下、添付された図面を参考して、本発明を詳細に説明することにする。
【００３３】
本発明の第１及び第２の実施例によるＲＦＩＤタグを含むラベルは、全体ラベル面のうち、ＲＦＩＤタグが貼付されたラベル面が製品ボックスから着脱が可能になるように形成されることを特徴とする。つまり、本発明の第１及び第２の実施例は、ＲＦＩＤタグが製品ボックスに刻まれた一部の文字や絵などを覆ってもユーザーがＲＦＩＤタグが貼付されたラベル面を脱着することにより、本来の情報を完全に確認するようにすることができる。この際に、ＲＦＩＤタグが貼付されたラベル面を製品ボックスから着脱する方向に沿って左右着脱型ラベルと上下着脱型ラベルに分かれることができる。以下、第１の実施例によるＲＦＩＤタグを含むラベルから詳細に説明することにする。
【００３４】
以下、図１と図２を参考して、本発明の第１の実施例による左右着脱型ラベルを説明する。
【００３５】
第１の実施例による左右着脱型ラベル１００ａは、第１ベースフィルム１１０と、第１粘着層１２１と、第２粘着層１２２と、ＲＦＩＤタグＴと、を含む。
【００３６】
第１ベースフィルム１１０は、ＲＦＩＤタグＴを支持する構成である。このような第１ベースフィルム１１０は、下面が製品ボックスに貼付され、ＲＦＩＤタグＴが製品ボックスに固定されるようにすることができる。第１ベースフィルム１１０は、透明または不透明な材質からなることができ、合成樹脂、ポリウレタン樹脂、ビニル樹脂、アクリル樹脂、エポキシ樹脂などの様々な材料によって形成され得る。
【００３７】
第１ベースフィルム１１０は、強粘着領域と弱粘着領域に分かれることができる。強粘着領域は、第１ベースフィルムの一側端部の範囲として規定される領域であって、下面に強い粘着物質が形成される領域であり、弱粘着領域は、第１ベースフィルムのうち、強粘着領域を除いた領域として規定される領域であって、弱い粘着物質が形成される領域である。
【００３８】
そして、第１ベースフィルム１１０は、脱着防止切断部１１１を含むことができる。脱着防止切断部１１１は、強粘着領域及び弱粘着領域のうちの少なくとも一領域に形成され得る。脱着防止切断部１１１は、第１ベースフィルム１１０の一領域を切開することによって形成された領域であって、鋭いスチール素材（例えば、刀）で第１ベースフィルム１１０の一領域をカットして形成され得る。図１を参照すれば、脱着防止切断部１１１は、第１ベースフィルム１１０の縁（つまり、枠）を越えないように刻まれ、山括弧表示（“＞”）、“Ｘ”字表示、角括弧表示（“［”）などのように所定の角が形成されるように折り曲げられて刻まれるとか、スラッシュ表示（／）などのように一般的な直線の組み合わせで刻まれることもできる。但し、これらの例に限らず、脱着防止切断部１１１は様々な形状に形成され得る。
【００３９】
脱着防止切断部１１１がラベル１００ａに刻まれている場合、第３者が紙材質のボックスに一度貼付されたラベル１００ａを剥がそうとするとき、ラベル１００ａの全体がまともに剥がれず、脱着防止切断部１１１を基準にラベル１００ａの一部のみ剥がれ、他の一部はボックスに残るようになるとか、紙材質のボックスに傷（例えば、紙材質のボックス表面があまり剥がれていないもののような傷）が発生するように剥がされるようになる。これにより、脱着防止切断部１１１は、第３者が製品ボックスに貼付されたラベル１００を剥がし、新しい商品に変身させて転売するなどの様々な悪用される場合を防止することができる。
【００４０】
また、第１ベースフィルム１１０は、取っ手部１１２を更に含むことができる。取っ手部１１２は、第１ベースフィルム１１０の弱粘着領域の縁から延長されて形成された部分であって、他の第１ベースフィルム１１０の領域と異なり、下面に粘着層が形成されていないので無粘着状態である。取っ手部１１２が無粘着状態になっている理由は、ユーザーがＲＦＩＤタグＴが貼付されたラベル１００ａ面を脱着しようとするとき、容易に脱着できるようにするためである。また、左右方向に脱着するのに適合するように、取っ手部１１２は、弱粘着領域の縁などのうち、強粘着領域から最も遠い弱粘着領域の縁から延長されて形成され得る。
【００４１】
第１粘着層１２１及び第２粘着層１２２は、それぞれ第１ベースフィルム１１０の強粘着領域と弱粘着領域の下面に形成されるものであって、第１ベースフィルム１１０が製品ボックスの外面に貼付され得るように粘着力を有する。ここで、特別な点は、第１粘着層１２１の粘着力が第２粘着層１２２の粘着力よりも強いということである。これにより、第１粘着層１２１は、強粘着力を有するので、第１ベースフィルム１１０の一側部が製品ボックスの外面に固定されるようにする。また、第２粘着層１２２は、弱粘着力を有するので、ラベル１００ａが最初に製品ボックスに貼付されるときは、製品ボックスに固定されるようにするが、ユーザーが手で弱粘着領域の第１ベースフィルム１１０を脱着できるようにする。この場合、ユーザーは、ＲＦＩＤタグＴが覆っていた製品ボックス外面に記載された情報を確認することができるようになる。
【００４２】
第１及び第２粘着層１２１、１２２は、互いに異なる粘着力を有する粘着物質が第１ベースフィルム１１０の下面に塗布されることによって形成されることもでき、同一の粘着力を有する物質が第１ベースフィルム１１０の下面に塗布された後、第１ベースフィルム１１０の弱粘着領域にのみ粘着力弱化工程を行うことによって形成されることもできる。
【００４３】
ＲＦＩＤタグＴは、第１ベースフィルム１１０の弱粘着領域に貼付され、ＲＦＩＤリーダーの信号を認識する場合、保存された製品ボックス及び製品に関する情報をＲＦＩＤリーダーに送出することにより、ユーザーが製品管理を容易にできるようにする。ＲＦＩＤタグＴは、第１ベースフィルム１１０の弱粘着領域の上面に貼付されることが望ましいが、第１ベースフィルム１１０の弱粘着領域の下面に貼付されることもできる。ＲＦＩＤタグＴが第１ベースフィルム１１０の弱粘着領域の下面に貼付される場合、第１ベースフィルム１１０の上面に刻まれた文字や文句などを覆う恐れがなくなるので、第１ベースフィルム１１０の上面に文字や文句を記載する空間をさらに確保することができるという点からメリットがある。
【００４４】
次いで、図３及び図４を参考して、本発明の第１の実施例による上下着脱型ラベル１００ｂを説明する。
【００４５】
第１の実施例による上下着脱型ラベル１００ｂは、左右着脱型ラベル１００ａと同様に、第１ベースフィルム１１０と、第１粘着層１２１と、第２粘着層１２２と、ＲＦＩＤタグＴと、を含む。
【００４６】
但し、上下着脱型ラベル１００ｂが左右着脱型ラベル１００ａと異なる点は、上下着脱型ラベル１００ｂの横幅が左右着脱型ラベル１００ａの横幅よりもより長く形成され、ユーザーが上下に第１ベースフィルム１１０の弱粘着領域を脱着することがより容易になるように構成されたということである。
【００４７】
また、上下着脱型ラベル１００ｂは、製品ボックスの２つの面にわたって貼付されるように少なくとも１つの折曲線１１３を含むことができる。折曲線１１３は、強粘着領域と弱粘着領域との境界付近に形成される。折曲線１１３が１つで形成される場合、強粘着領域と弱粘着領域との間の境界線に形成されることができるが、折曲線１１３が２つ以上形成される場合、強粘着領域と弱粘着領域との境界線から近い所定の距離範囲内に形成されることができる。
【００４８】
また、上下着脱型ラベル１００ｂの取っ手部１１２は、左右着脱型ラベル１００ａのように、第１ベースフィルム１１０の縁から延長形成されることもできるが、第１ベースフィルム１１０の頂点付近に無粘着状態を定義することによって形成されることもできる。図３を参考すれば、取っ手部１１２は、第１ベースフィルム１１０の弱粘着領域の縁などのうち、強粘着領域から最も遠い２つの頂点近所に形成されることができる。このとき、第２粘着層１２２は、第１ベースフィルム１１０の弱粘着領域の下面のうち、取っ手部１１２と対応する領域には形成されないように構成され得る。取っ手部１１２は、無粘着状態の取っ手の領域であることを表示するために、第１ベースフィルム１１０の全体色相と異なる色相で形成され得る。
【００４９】
以上で説明した第１の実施例によるＲＦＩＤタグＴを含むラベル１００ａ、１００ｂは、ＲＦＩＤタグＴによって覆われた製品ボックスの領域をユーザーが確認できるように、ＲＦＩＤが貼付されたラベル１００ａ、１００ｂ面を製品ボックスから脱着され得るようにする。しかし、第１ベースフィルム１１０を製品ボックスに固定するための領域の大きさは、第１ベースフィルム１１０の一側端部の面積（第１粘着層１２１の領域）に過ぎないので、ユーザーの頻繁な着脱時、第１粘着層１２１の粘着力が低くなるようになって、長い期間の後には、ラベル１００ａ、１００ｂ全体が脱着されることもできる問題点があり得る。
【００５０】
これを改善するために、本発明の第２の実施例は、ラベルを二重に構成することを特徴とし、このために、第１の実施例のラベル１００ａ、１００ｂに、更に第２ベースフィルム１３０と、第３粘着層１４０と、を形成する。
【００５１】
先ず、図５及び図６を参考すれば、本発明の第２の実施例による左右着脱型ラベル２００ａは、第１の実施例の左右着脱型ラベル２００ａの構成からひいては第１粘着層１２１と第２粘着層１２２の下面に第２ベースフィルム１３０と、第３粘着層１４０と、を更に含む。
【００５２】
第２ベースフィルム１３０は、第１及び第２粘着層１２１、１２２を介して第１ベースフィルム１１０の下面に貼付される。これにより、第１ベースフィルム１１０の強粘着領域は、第２ベースフィルム１３０に固定され、第１ベースフィルム１１０の弱粘着領域は、第２ベースフィルム１３０の上面に着脱可能に粘着する。第２ベースフィルム１３０は、全面が製品ボックスに完全に固定されるための構成であるので、取っ手部１１２を含まない。従って、第２ベースフィルム１３０は、取っ手部１１２を除いた第１ベースフィルム１１０の大きさと同一の大きさに形成され得る。また、第２ベースフィルム１３０は、第１ベースフィルム１１０と同一の透明または不透明材質で形成されることができ、文字や絵のような特定の情報が印刷されるように構成されることもできる。
【００５３】
第３粘着層１４０は、第２ベースフィルム１３０の下面全体に形成され、第２ベースフィルム１３０を製品ボックスに完全に固定させることができるようにする。従って、第３粘着層１４０は、第１粘着層１２１の粘着力と類似または同一のレベルで強粘着力を有するように構成され得る。
【００５４】
また、第２の実施例による、上下着脱型ラベル２００ｂも左右着脱型ラベル２００ａと同様に第２ベースフィルム１３０と、第３粘着層１４０と、を更に含む。
【００５５】
図７を参考すれば、第２ベースフィルムは、第１粘着層１２１を介して第１ベースフィルム１１０が固定されるようにし、第２粘着層１２２を介して第１ベースフィルム１１０が第２ベースフィルム１３０に対して着脱可能にする。また、第３粘着層１４０は、第２ベースフィルム１３０の下面全体が製品ボックスの外面に固定され得るように強粘着力を有し、第２ベースフィルム１３０の下面に形成される。
【００５６】
このような第２ベースフィルム１３０と第３粘着層１４０の追加に応じて、第２の実施例によるラベル２００ａ、２００ｂは、二重ラベル２００の構造で形成され、ラベル２００ａ、２００ｂの下層が製品ボックスに完全固定される役割を果たし、ＲＦＩＤタグＴが貼付されたラベル２００ａ、２００ｂの上層が着脱可能に形成されることにより、第１の実施例よりもさらに強力なラベル２００ａ、２００ｂの製品ボックス固定効果を達成することができる。特に、二重ラベルのような構造では、第２ベースフィルム１３０を透明に構成して、製品ボックスに記載された情報が全て読み取り可能にするとか、第２ベースフィルム１３０上に文字や絵などを印刷することにより、追加情報を記載するようにすることもできる。
【００５７】
以下、本発明の一実施例によるＲＦＩＤタグＴを含むラベルが製品ボックスに貼付された形態を説明することにする。以下の説明において、第２の実施例のラベル２００ａ、２００ｂを基準に説明したが、第１の実施例のラベル１００ａ、１００ｂも以下で説明されるものと同一の形態で実施され得る。
【００５８】
図８を参考すれば、第２の実施例による左右着脱型ラベル２００ａは、全体が製品ボックス３００の上面に貼付され得る。但し、製品ボックス３００の側面が左右着脱型ラベル２００ａの幅と同じか大きい場合、左右着脱型ラベル２００ａは、製品ボックス３００の側面に貼付されることもできる。
【００５９】
図９を参考すれば、第２の実施例による上下着脱型ラベル２００ｂは、強粘着領域が製品ボックス３００の上面に貼付され、弱粘着領域が製品ボックス３００の側面に貼付される形態を有することができる。このとき、上下着脱型ラベル２００ｂに形成された折曲線１１３を基準にラベル２００ｂが折り畳まれて製品ボックス３００の上面と側面に同時に貼付され得る。
【００６０】
製品ボックス３００内に含まれた製品がＰＴＰ（Ｐｒｅｓｓ  Ｔｈｒｏｕｇｈ  Ｐａｃｋａｇｅ）形態のように偏平な金属箔で包装される場合、ＲＦＩＤタグＴが貼付される製品ボックス３００の面と金属箔が製品ボックス３００内に配置される平面が平行であるとき、金属箔の干渉により、ＲＦＩＤタグＴに対するリーダーの認識率が低下することができる。このような場合、認識率低下を最小化するためには、偏平な金属箔の配置面とＲＦＩＤタグＴの貼付面が垂直になるように配置されるべきである。
【００６１】
従って、製品ボックス３００内に含まれた製品が金属箔で包装されないとか、金属箔が配置された方向が製品ボックス３００の上面と垂直した方向に配置されている場合、図８のように、製品ボックス３００の上面にラベル２００ａを貼付するのが望ましい。一方、ボックス内に含まれた金属箔が製品ボックス３００の上面と平行な方向に配置されている場合、図９のように、製品ボックス３００の側面にＲＦＩＤタグＴが配置されるようにラベル２００ｂを貼付するのが望ましい。製品ボックス３００の側面の大きさがラベル２００ｂの大きさよりもはるかに大きい場合、ラベル２００全体を製品ボックス３００の側面に貼付することができるが、図９のように、製品ボックス３００の側面の大きさがラベル２００ｂの大きさよりも小さい場合、折り畳み式で折り曲げられて製品ボックス３００の上面及び側面に貼付され得る。
【００６２】
以下、本発明の第３の実施例によるＲＦＩＤタグＴ及びラベル貼付方法について図１０を参照して、具体的に説明する。以下では、第１の実施例のラベルを基準に説明するが、第２の実施例のラベルに対しても同一に適用され得る。
【００６３】
先ず、コンベヤベルトなどのような手段を利用して、一列または複数の列に配列された製品ボックス３００がラベル貼付ステージに移送される（Ｓ１１０）。製品ボックスは、六面体状に構成され得る。
【００６４】
ラベル貼付ステージの上部には、複数のラベル１００ａまたはラベル１００ｂが貼付されたラベル供給紙がロール状に巻かれているラベルロールが配置されており、下部には、ラベルロールを回転させることによって移送された製品ボックス３００の方にラベル供給紙を巻き出させる構成が配置されている。このとき、ラベル供給紙に貼付されたそれぞれのラベル１００ａまたはラベル１００ｂは、ＲＦＩＤタグＴを含むこともでき、含まないこともある。
【００６５】
ラベル貼付ステージでは、ラベルロールから巻き出されたラベル供給紙からそれぞれのラベル１００ａまたはラベル１００ｂを脱着して移送される製品ボックス３００の外面にラベル１００ａまたはラベル１００ｂを貼付することができる（Ｓ１２０）。
【００６６】
このとき、ラベル１００ａまたはラベル１００ｂ全体を図８のように、製品ボックス３００の一面に貼付することもでき、図９のように、製品ボックス３００の隣接する２つの面に貼付することもできる。一般的に、製品ボックス３００内の内容物がＰＴＰ方式の包装ではないとか、ＰＴＰ方式の包装を構成する金属箔の配置平面が製品ボックス３００の上面と垂直な場合、図８のように、左右着脱型ラベル１００ａを貼付することができる。また、製品ボックス３００内の内容物がＰＴＰ方式で包装されており、ＰＴＰ包装による金属箔が製品ボックス３００の側面と垂直に配置され、製品ボックス３００の側面の高さが狭い場合、図９のように、上下着脱型ラベル１００ｂを貼付することができる。
【００６７】
ここで、図９のように、上下着脱型ラベル１００ｂを貼付する過程を説明すると、ラベル１００ｂの強粘着領域を製品ボックス３００上面の縁に貼付させる。次いで、ラベル１００ｂの弱粘着領域を強粘着領域との境界線（つまり、図３の折曲線１１３）を基準に折り曲げた後、製品ボックス３００の上面と隣接する側面に貼付する。
【００６８】
次いで、製品ボックス３００に貼付されたラベル１００ａまたはラベル１００ｂの弱粘着領域と対応する第１ベースフィルム１１０の上面にＲＦＩＤタグＴを貼付する（Ｓ１３０）。もし、Ｓ１２０ステップでＲＦＩＤタグＴを含むラベル１００ａまたはラベル１００ｂが貼付されたらＳ１３０ステップは省略され得る。
【００６９】
以上のように、本発明の第１〜第３の実施例によれば、一領域が強粘着で製品ボックスに貼付されて固定され、ＲＦＩＤタグを含むラベル領域が弱粘着で製品ボックスに貼付され、着脱可能に構成されることに応じて、ＲＦＩＤタグＴによって覆われた製品ボックスの一領域に記載された内容をユーザーが確認するようにすることができる。この場合、製品ボックスに記載する事項が多すぎて全部記載することができない場合、ラベルの第１ベースフィルムの一領域に残りの記載事項を記入することにより、内容記入空間を拡大させることもできる。また、ラベルに鋭い物質（例えば、刀）でラベルに傷をつけて脱着防止切断部を形成することにより、第３者が悪意でラベルを剥がそうとするとき、剥がした跡が製品ボックスに残るようにして、第３者がむやみにラベルを剥がさないようにすることができる。また、ラベルを折り畳んで製品ボックスに貼付され得るようにして、小さい大きさのボックスに対しても容易に貼付され得るように貼付範囲を流動的に変更することができる。
【００７０】
前述した本発明の説明は、例示のためのものであり、本発明の属する技術分野における通常の知識を有する者は、本発明の技術的思想や必須の特徴を変更せずに、他の具体的な形態で容易に変形が可能であることを理解することができるだろう。それ故に、以上で記述した実施例などは、すべての面で例示的なものであり限定的ではないものとして理解するべきである。例えば、単一型で説明されている各構成要素は、分散されて実施されることもでき、同様に分散されたものとして説明されている構成要素なども結合された形態で実施され得る。
【００７１】
本発明の範囲は、前記詳細な説明よりも後述する特許請求の範囲によって示され、特許請求の範囲の意味及び範囲、そして、その均等概念から導出されるすべての変更または変形された形態が本発明の範囲に含まれるものとして解釈されるべきである。
【図１】
2017533461.tif 000003
【図２】
2017533461.tif 000004
【図３】
2017533461.tif 000005
【図４】
2017533461.tif 000006
【図５】
2017533461.tif 000007
【図６】
2017533461.tif 000008
【図７】
2017533461.tif 000009
【図８】
2017533461.tif 000010
【図９】
2017533461.tif 000011
【図１０】
2017533461.tif 000012
【国際調査報告】
2017533461.tif 000013
2017533461.tif 000014
2017533461.tif 000015
2017533461.tif 000016